(57)【特許請求の範囲】
【請求項１】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子と、
前記第１チャンネルオーディオ信号に、前記第２チャンネルオーディオ信号が前記共通の接地端子を介して前記第１音響再生ユニットへ漏れるときの第２音漏れ比率に応じて低減した前記第２チャンネルオーディオ信号を加算して、前記第１チャンネルオーディオ信号の出力端子に供給するようにすると共に、前記第２チャンネルオーディオ信号に、前記第１チャンネルオーディオ信号が前記共通の接地端子を介して前記第２音響再生ユニットへ漏れるときの第１音漏れ比率に応じて低減した前記第１チャンネルオーディオ信号を加算して、前記第２チャンネルオーディオ信号の出力端子に供給するようにする音漏れ消去信号加算手段と、
を備えるオーディオ信号出力装置。
【請求項２】
請求項１に記載のオーディオ信号出力装置において、
前記第１チャンネルオーディオ信号および前記第２チャンネルオーディオ信号はアナログオーディオ信号であって、
前記音漏れ消去信号加算手段は、
前記第２音漏れ比率に応じた利得の第１のアナログアンプと、
前記第１音漏れ比率に応じた利得の第２のアナログアンプと、
前記第１チャンネルオーディオ信号と、前記第１のアナログアンプを通じた前記第２チャンネルオーディオ信号とを加算して、前記第１チャンネルオーディオ信号の出力端子に出力する第１の加算手段と、
前記第２チャンネルオーディオ信号と、前記第２のアナログアンプを通じた前記第１チャンネルオーディオ信号とを加算して、前記第２チャンネルオーディオ信号の出力端子に出力する第２の加算手段と、
を備えるオーディオ信号出力装置。
【請求項３】
請求項２に記載のオーディオ信号出力装置において、
前記第１および第２のアナログアンプは、利得制御信号を受けて前記利得を可変とする可変利得アンプであり、
ユーザの利得制御操作入力を受けて、前記第１および第２のアナログアンプのそれぞれに前記利得制御信号を供給する制御手段を備える
オーディオ信号出力装置。
【請求項４】
請求項１に記載のオーディオ信号出力装置において、
前記音漏れ消去信号加算手段は、
デジタル信号である前記第２チャンネルオーディオ信号に、前記第２音漏れ比率に応じた第１の低減比率を乗算した結果を、デジタル信号である前記第１チャンネルオーディオ信号に加算し、当該加算した信号をアナログ信号に変換して、前記第１チャンネルオーディオ信号の出力端子に出力する手段と、
デジタル信号である前記第１チャンネルオーディオ信号に、前記第１音漏れ比率に応じた第２の低減比率を乗算した結果を、デジタル信号である前記第２チャンネルオーディオ信号に加算し、当該加算した
信号をアナログ信号に変換して、前記第２チャンネルオーディオ信号の出力端子に出力する手段と、
を備えるオーディオ信号出力装置。
【請求項５】
請求項４に記載のオーディオ信号出力装置において、
ユーザの操作入力を受けて、前記第１の低減比率および／または前記第２の低減比率を変更する手段を備える
オーディオ信号出力装置。
【請求項６】
請求項４に記載のオーディオ信号出力装置において、
前記音漏れ消去信号加算手段は、
デジタル信号である前記第２チャンネルオーディオ信号に前記第１の低減比率を乗算する前または乗算した後に、前記デジタル信号である第２チャンネルオーディオ信号を遅延する第１の遅延手段と、デジタル信号である前記第１チャンネルオーディオ信号に前記第２の低減比率を乗算する前または乗算した後に、前記デジタル信号である第１チャンネルオーディオ信号を遅延する第２の遅延手段とを備える
オーディオ信号出力装置。
【請求項７】
請求項６に記載のオーディオ信号出力装置において、
前記第１の遅延手段および前記第２の遅延手段は可変遅延手段とされると共に、ユーザの操作入力を受けて、前記第１の遅延手段および／または前記第２の遅延手段の遅延量が可変制御される
オーディオ信号出力装置。
【請求項８】
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子に、前記３極端子に対応する外部端子が接続されたときに、前記外部端子に接続されている前記第１チャンネルオーディオ信号を音響再生する第１音響再生ユニットへの前記第２チャンネルオーディオ信号の音漏れ、および／または、前記第２チャンネルオーディオ信号を音響再生する第２音響再生ユニットへの前記第１チャンネルオーディオ信号の音漏れを、前記３極端子を備えるオーディオ信号出力装置における信号処理手段により低減する方法であって、
前記信号処理手段は、前記第１チャンネルオーディオ信号に、前記第２チャンネルオーディオ信号が前記共通の接地端子を介して前記第１音響再生ユニットへ漏れるときの第２音漏れ比率に応じて低減した前記第２チャンネルオーディオ信号を加算して、前記第１チャンネルオーディオ信号の出力端子に供給するようにすると共に、前記第２チャンネルオーディオ信号に、前記第１チャンネルオーディオ信号が前記共通の接地端子を介して前記第２音響再生ユニットへ漏れるときの第１音漏れ比率に応じて低減した前記第１チャンネルオーディオ信号を加算して、前記第２チャンネルオーディオ信号の出力端子に供給するようにする
音漏れ低減方法。
【請求項９】
請求項８に記載の音漏れ低減方法において、
前記信号処理手段は、前記第１チャンネルオーディオ信号に加算する前記第２チャンネルオーディオ信号の低減量および前記第２チャンネルオーディオ信号に加算する前記第１チャンネルオーディオ信号低減量を、ユーザの操作入力に応じて可変制御する工程を備える
音漏れ低減方法。
【請求項１０】
請求項８に記載の音漏れ低減方法において、
前記信号処理手段は、 
前記第１チャンネルオーディオ信号に加算する前記第２チャンネルオーディオ信号を、前記低減する前または後で遅延させると共に、
前記第２チャンネルオーディオ信号に加算する前記第１チャンネルオーディオ信号を、前記低減する前または後で遅延させる工程を備える
音漏れ低減方法。
【請求項１１】
請求項１０に記載の音漏れ低減方法において、
前記信号処理手段は、前記第１チャンネルオーディオ信号に加算する前記第２チャンネルオーディオ信号の遅延量および／または前記第２チャンネルオーディオ信号に加算する前記第１チャンネルオーディオ信号の遅延量を、ユーザの操作入力に応じて可変制御する工程を備える
音漏れ低減方法。
【発明の詳細な説明】
【技術分野】
【０００１】
この発明は、例えば左右２チャンネルステレオオーディオ信号を、例えばヘッドフォンに出力して音響再生させるようにする音楽プレーヤなどのオーディオ信号出力装置に関し、特に、チャンネル間の音漏れを低減する発明に関する。
【背景技術】
【０００２】
音響再生手段としてヘッドフォンを用い、左右２チャンネルのステレオオーディオ信号を音響再生するようにする携帯型の音楽プレーヤが広く普及している。この場合に、音楽プレーヤと、ヘッドフォンとの接続は、３極端子を用いたジャックとプラグとを用いて行うのが一般的である。ここで、３極端子とは、左右２チャンネルステレオ信号の場合、左チャンネルオーディオ信号用の端子と、右チャンネルオーディオ信号用の端子と、左チャンネルおよび右チャンネルオーディオ信号に共通の接地端子（グラウンド）との３端子からなるものである。
【０００３】
図８は、音楽プレーヤ２００と、これに接続されるヘッドフォン１００とを示すものである。ヘッドフォン１００は、左チャンネル用のヘッドフォンユニット１０Ｌと、右チャンネル用のヘッドフォンユニット１０Ｒと、３極端子からなる接続プラグ１０１と、左チャンネル用のヘッドフォンユニット１０Ｌおよび右チャンネル用のヘッドフォンユニット１０Ｒと接続プラグ１０１との間を接続するケーブル１０２とからなる。
【０００４】
ケーブル１０２は、左右チャンネル用ケーブルの連結部１０３を備え、この連結部１０３で、左右チャンネルのグラウンド側が共通に接続され、その共通接続点が接続プラグ１０１の共通接地端子ＣＯＭに接続されている。
【０００５】
接続プラグ１０１は、左チャンネル信号端子部Ｌ＋と、右チャンネル信号端子部Ｒ＋と、共通接地端子部ＣＯＭとを備えている３極端子である。
【０００６】
音楽プレーヤ２００には、ヘッドフォン１００の接続プラグ１０１に対応して、３極端子からなるヘッドフォンジャック２０１が設けられている。ヘッドフォン１００の接続プラグ１０１を、音楽プレーヤ２００のヘッドフォンジャック２０１に差し込むことで、音楽プレーヤ２００から出力される２チャンネルステレオオーディオ信号が、ヘッドフォン１００の左右チャンネル用のヘッドフォンユニット１０Ｌおよび１０Ｒで音響再生される。
【０００７】
しかし、上述のような３極端子を用いる場合には、左右チャンネル間における音漏れの問題がある。この音漏れは、３極端子では左チャンネルおよび右チャンネルオーディオ信号に共通の接地端子を用いていることと、ヘッドフォン１００のケーブル１０２などに含まれる抵抗成分や音楽プレーヤ２００のアンプ特性との組み合わせによって生じるものであることが知られている。この音漏れの問題について、さらに説明をする。
【０００８】
図９は、ヘッドフォン１００の接続プラグ１０１が、音楽プレーヤ２００のヘッドフォンジャック２０１に差し込まれた状態において、音漏れが生じることを説明するための等価的な接続回路図である。この図９では、左チャンネルオーディオ信号が右チャンネルに漏れる場合を説明するために、左チャンネルオーディオ信号が大振幅信号であり、かつ、右チャンネルは全くの無音であるとする。また、音楽プレーヤ２００のアンプ部の利得は１と仮定する。
【０００９】
図９に示すように、左チャンネル信号源１Ｌからの左チャンネルの大振幅オーディオ信号（アナログオーディオ信号とする）は、利得が１のアンプ２Ｌおよび抵抗３Ｌを通じて、ヘッドフォンジャック２０１の左チャンネルオーディオ信号出力端子４Ｌに供給される。
【００１０】
また、右チャンネル信号源１Ｒからの右チャンネルの信号（アナログオーディオ信号とする）は、利得が１のアンプ２Ｒおよび抵抗３Ｒを通じて、ヘッドフォンジャック２０１の右チャンネルオーディオ信号出力端子４Ｒに供給される。
【００１１】
図９で、音楽プレーヤ２００において接地されている端子４Ｃは、ヘッドフォンジャック２０１の共通接地端子である。ヘッドフォンジャック２０１は、左チャンネルオーディオ信号出力端子４Ｌと、右チャンネルオーディオ信号出力端子４Ｒと、共通接地端子４Ｃとを備える３極端子の構成となっている。
【００１２】
ヘッドフォンジャック２０１に、ヘッドフォン１００の接続プラグ１０１が挿入されて接続されている状態では、図９に示すように、左チャンネルオーディオ信号出力端子４Ｌと共通接地端子４Ｃとの間には、左チャンネル用のヘッドフォンユニット１０Ｌが接続され、また、右チャンネルオーディオ信号出力端子４Ｒと共通接地端子４Ｃとの間には、右チャンネル用のヘッドフォンユニット１０Ｒが接続される状態となる。
【００１３】
そして、図９に示すように、左チャンネルオーディオ信号出力端子４Ｌと左チャンネル用のヘッドフォンユニット１０Ｌとの間には、ケーブル１０２の線路抵抗１１Ｌが、右チャンネルオーディオ信号出力端子４Ｒと右チャンネル用のヘッドフォンユニット１０Ｒとの間には、ケーブル１０２の線路抵抗１１Ｒが、それぞれ存在し、また、左右チャンネルのグラウンド側の共通接続点１３Ｃと、左チャンネル用のヘッドフォンユニット１０Ｌおよび右チャンネル用のヘッドフォンユニット１０Ｒとの間には、それぞれ線路抵抗１２Ｌおよび１２Ｒがそれぞれ存在し、共通接続点１３Ｃと、共通接地端子４Ｃとの間には共通線路抵抗１４Ｃが存在する状態となる。
【００１４】
以上のような接続回路構成において、左チャンネルオーディオ信号出力端子４Ｌから出力された左チャンネルの大振幅オーディオ信号は、左チャンネル用ヘッドフォンユニット１０Ｌを通過した後、共通接地端子４Ｃに接続されている共通接続点１３Ｃに達し、共通接地端子４Ｃに流れる。
【００１５】
しかし、共通接続点１３Ｃは、右チャンネル用ヘッドフォンユニット１０Ｒにも接続されており、共通線路抵抗１４などの存在も相俟って、左チャンネルの大振幅オーディオ信号は、右チャンネル用ヘッドフォンユニット１０Ｒにも漏れて供給されてしまう状態になる。この結果、図９では、右チャンネルのオーディオ信号は存在しない（ゼロである）はずであるのに、右チャンネル用ヘッドフォンユニット１０Ｒからは、当該漏れて供給された左チャンネルのオーディオ信号による音波が発生してしまうことになる。
【００１６】
以上の説明は、左チャンネルオーディオ信号が大振幅オーディオ信号で、右チャンネルは全くの無音とした場合であって、右チャンネル用ヘッドフォンユニット１０Ｒへの左チャンネルオーディオ信号の音漏れについて説明したものであるが、右チャンネルオーディオ信号が大振幅オーディオ信号で、左チャンネルは全くの無音とした場合には、上述と同様にして、左チャンネル用ヘッドフォンユニット１０Ｌへの右チャンネルオーディオ信号の音漏れが生じる。
【００１７】
ここで、右チャンネル用ヘッドフォンユニット１０Ｒに、漏れて供給される信号の大きさは、左チャンネルオーディオ信号の大きさＡＬに、線路抵抗やヘッドフォン１００の特性などに応じた係数１／ＭＬ（ただしＭＬ＞１）を乗じた大きさＡＬ／ＭＬとなる。また、左チャンネル用ヘッドフォンユニット１０Ｌに、漏れて供給される信号の大きさは、右チャンネルオーディオ信号の大きさＡＲに、線路抵抗やヘッドフォン１００の特性などに応じた係数１／ＭＲ（ただしＭＲ＞１）を乗じた大きさＡＲ／ＭＲとなる。この明細書では、これらの係数１／ＭＬおよび１／ＭＲを、音漏れ比率と称する。
【００１８】
なお、右チャンネルへの左チャンネルオーディオ信号の音漏れ比率１／ＭＬと、左チャンネルへの右チャンネルオーディオ信号の音漏れ率１／ＭＲとは、必ずしも同一ではない。
【００１９】
従来、この左右チャンネル間の音漏れの問題を解消するために、図１０および図１１に示すように、４極端子を用いる手法が提供されている（後述の非特許文献１参照）。すなわち、図１０に示すように、この例の場合のヘッドフォン１００´は、３極端子からなる接続プラグ１０１に代えて、４極端子からなる接続プラグ１０４を備える。ヘッドフォン１００´のその他の構成は、図８を用いて説明したヘッドフォン１００と同様である。
【００２０】
この場合、図１０に示すように、接続プラグ１０４は、左チャンネル信号端子部Ｌ＋と、右チャンネル信号端子部Ｒ＋と、左チャンネル用接地端子部Ｌ−と、右チャンネル用接地端子部Ｒ−とを備えて、４極端子の構成とされている。
【００２１】
図１１は、ヘッドフォン１００´の４極端子の接続プラグ１０４が、音楽プレーヤ２００のヘッドフォンジャックに差し込まれた状態における等価的な接続回路図である。この図１１においても、前述した図９と同様に、左チャンネルオーディオ信号が右チャンネルに漏れる場合を説明するために、左チャンネルオーディオ信号が大振幅信号であり、かつ、右チャンネルは全くの無音であるとする。また、音楽プレーヤ２００のアンプ部の利得は１と仮定する。
【００２２】
図１１に示すように、この４極端子からなる接続プラグ１０４を用いる場合においては、接続プラグ１０４の左チャンネル用接地端子部Ｌ−と、ヘッドフォンジャック２０１の接地端子との接続点として、音楽プレーヤ２００の左チャンネル用接地端子５Ｌが構成され、また、接続プラグ１０４の右チャンネル用接地端子部Ｒ−と、ヘッドフォンジャック２０１の接地端子との接続点として、音楽プレーヤ２００のＲチャンネル用接地端子５Ｒが構成される。
【００２３】
したがって、この４極端子からなる接続プラグ１０４を用いる場合においては、前述の図９を用いて説明した３極端子の場合のような、共通接続点１３Ｃや共通線路抵抗１４Ｃは存在せず、左チャンネルの大振幅オーディオ信号は、左チャンネル用ヘッドフォンユニット１０Ｌを通過した後、接地端子５Ｌに供給されるようになり、左チャンネルから右チャンネルへの音漏れの問題が回避される。
【００２４】
この４極端子からなる接続プラグ１０４を用いる場合においては、右チャンネルから左チャンネルへの音漏れの問題も、同様にして、回避される。
【００２５】
上記の非特許文献は、次の通りである。
【非特許文献１】ＳＨＡＲＰ  “より原音に忠実な高音質を実現する「モバイル１ビットデジタルアンプ−Ｈ・Ａ−」を搭載”、［online］、［平成１８年１月３０日検索］、インターネット＜ＵＲＬ：http://www.sharp.co.jp/products/mdds700/text/1bit.html＞
【発明の開示】
【発明が解決しようとする課題】
【００２６】
上述のように、４極端子からなる接続プラグを用いる方法によれば、左右チャンネル間の音漏れの問題を回避することができる。しかしながら、４極端子からなる接続プラグは一般的なものではなく、特殊なものであり、ユーザに、当該特殊なヘッドフォンの購入を強いることになり好ましくない。
【００２７】
なお、上述の説明は、左右２チャンネルステレオオーディオ信号の場合についてであったが、例えば左チャンネルを第１チャンネルに置き換えると共に、右チャンネルを第２チャンネルに置き換えた場合、これら第１チャンネルオーディオ信号および第２チャンネルオーディオ信号として、左右２チャンネルステレオ信号以外のオーディオ信号を音響再生する場合を考えた場合にも同様の問題が生じるものである。
【００２８】
この発明は、上述のような特殊な４極端子を用いることなく、簡単な信号処理により、上述の第１および第２チャンネル間の音漏れの問題を軽減できる装置および方法を提供することを目的とする。
【課題を解決するための手段】
【００２９】
上記の課題を解決するために、この発明は、
第１チャンネルオーディオ信号の出力端子と、第２チャンネルオーディオ信号の出力端子と、前記第１チャンネルオーディオ信号および第２チャンネルオーディオ信号に対して共通の接地端子とを備える３極端子であって、前記第１チャンネルオーディオ信号を音響再生する第１音響再生ユニットと、前記第２チャンネルオーディオ信号を音響再生する第２音響再生ユニットとが接続され、前記３極端子に対応する端子を備える外部端子が接続される３極端子と、
前記第１チャンネルオーディオ信号に、前記第２チャンネルオーディオ信号が前記共通の接地端子を介して前記第１音響再生ユニットへ漏れるときの第２音漏れ比率に応じて低減した前記第２チャンネルオーディオ信号を加算して、前記第１チャンネルオーディオ信号の出力端子に供給するようにすると共に、前記第２チャンネルオーディオ信号に、前記第１チャンネルオーディオ信号が前記共通の接地端子を介して前記第２音響再生ユニットへ漏れるときの第１音漏れ比率に応じて低減した前記第１チャンネルオーディオ信号を加算して、前記第２チャンネルオーディオ信号の出力端子に供給するようにする音漏れ消去信号加算手段と、
を備えるオーディオ信号出力装置を提供する。
【００３０】
上述の構成のこの発明によれば、第１音響再生ユニットに第２チャンネルオーディオ信号側から共通の接地端子を介して到来する音漏れ成分に対応する第２チャンネルオーディオ信号成分が、予め、第１チャンネルオーディオ信号に加算される。このため、第１音響再生ユニットでは、第１チャンネルオーディオ信号に加算された第２チャンネルオーディオ信号成分と、第２チャンネルオーディオ信号側から共通の接地端子を介して到来する音漏れ成分とが互いに打ち消し合って、音漏れ成分はキャンセルされる。
【００３１】
同様に、第２音響再生ユニットに第１チャンネルオーディオ信号側から共通の接地端子を介して到来する音漏れ成分に対応する第１チャンネルオーディオ信号成分が、予め、第２チャンネルオーディオ信号に加算される。このため、第２音響再生ユニットでは、第２チャンネルオーディオ信号に加算された第１チャンネルオーディオ信号成分と、第１チャンネルオーディオ信号側から共通の接地端子を介して到来する音漏れ成分とが互いに打ち消し合って、音漏れ成分はキャンセルされる。
【発明の効果】
【００３２】
この発明によれば、特殊な４極端子を用いることなく、簡単な信号処理により、第１および第２チャンネル間の音漏れの問題を軽減できる。
【発明を実施するための最良の形態】
【００３３】
以下、この発明によるオーディオ信号出力装置の実施の形態を、左右２チャンネルステレオ信号を、ヘッドフォンを用いて音響再生する音楽プレーヤに適用した場合を例にとって、図を参照しながら説明する。
【００３４】
[第１の実施の形態]
図２は、第１の実施の形態の音楽プレーヤ３００の構成例を示すブロック図である。この例の音楽プレーヤは、例えばハードディスク装置や、半導体メモリあるいは光ディスクドライブなどからなり、音楽コンテンツのデータを格納する音楽コンテンツ格納部２１を備えると共に、例えばマイクロコンピュータを用いて構成される制御部３０１および操作入力部３０２を備える。
【００３５】
そして、この実施の形態の音楽プレーヤは、３極端子の構成のヘッドフォンジャック２８を備え、このヘッドフォンジャック２８に、前述した図８に示したようなヘッドフォン１００の、３極端子で構成される接続プラグ１０１が挿入されるように構成されている。すなわち、この実施の形態の音楽プレーヤのヘッドフォンジャック２８は、左チャンネルオーディオ信号の出力端子２８Ｌと、右チャンネルオーディオ信号の出力端子２８Ｒと、共通接地端子２８Ｃとの３極端子を備える。
【００３６】
制御部３０１は、操作入力部３０２を通じたユーザの音楽コンテンツの選択入力およびその再生要求に応じて、音楽コンテンツ格納部２１から、ユーザにより選択された音楽コンテンツを読み出すように制御する。
【００３７】
音楽コンテンツ格納部２１から読み出された音楽コンテンツの音楽データは、音楽データデコード部２２に供給されてデコードされる。そして、この音楽データデコード部２２から、左右２チャンネルのデジタルオーディオ信号（ＰＣＭ（Ｐｕｌｓｅ  Ｃｏｄｅ  Ｍｏｄｕｌａｔｉｏｎ）オーディオ信号）ＤＬ，ＤＲが出力される。
【００３８】
このデジタルオーディオ信号ＤＬ，ＤＲは、それぞれＤ／Ａ変換器２３Ｌ，２３Ｒに供給されて、アナログオーディオ信号に変換された後、スイッチ回路２４に供給される。
【００３９】
このスイッチ回路２４と、後述するスイッチ回路２６は、この例では、左右チャンネルの音漏れ対策処理をする場合と、音漏れ対策処理をしない場合をユーザが選択することができるようにするために設けられている。そして、ユーザの操作入力部３０２を通じた音漏れ対策の有無の選択入力に応じて、制御部３０１は、スイッチ回路２４およびスイッチ回路２６に切り替え制御信号ＳＷを供給する。
【００４０】
そして、ユーザが操作入力部３０２を通じて音漏れ対策処理をしないと選択操作入力したときには、制御部３０１は、切り替え制御信号ＳＷとして、スイッチ回路２４およびスイッチ回路２６を図２の切り替え状態に切り替えるようにする制御信号を、これらスイッチ回路２４およびスイッチ回路２６に供給する。
【００４１】
すると、このときには、Ｄ／Ａ変換器２３ＬおよびＤ／Ａ変換器２３Ｒからの左右２チャンネルのアナログオーディオ信号は、それぞれアナログアンプ２５Ｌおよびアナログアンプ２５Ｒを通じてスイッチ回路２６に供給される。このとき、このスイッチ回路２６は、図２の状態に切り替えられているので、左右２チャンネルのアナログオーディオ信号は、抵抗２７Ｌおよび抵抗２７Ｒをそれぞれ通じて左チャンネルオーディオ信号出力端子２８Ｌおよび右チャンネルオーディオ信号出力端子２８Ｒのそれぞれに供給される。
【００４２】
また、ユーザが操作入力部３０２を通じて音漏れ対策処理をすると選択操作入力したときには、制御部３０１は、切り替え制御信号ＳＷとして、スイッチ回路２４およびスイッチ回路２６を、図２の切り替え状態とは逆の状態に切り替えるようにする制御信号を、これらスイッチ回路２４およびスイッチ回路２６に供給する。
【００４３】
すると、このときには、Ｄ／Ａ変換器２３ＬおよびＤ／Ａ変換器２３Ｒからの左右２チャンネルのアナログオーディオ信号は、音漏れ消去信号加算部３０に供給される。この音漏れ消去信号加算部３０では、後述するようにして、左右２チャンネル間における音漏れを消去する信号を、左チャネルオーディオ信号および右チャンネルオーディオ信号のそれぞれに加算する処理を行う。
【００４４】
そして、この音漏れ消去信号加算部３０からの、音漏れ消去信号が加算された左右２チャンネルのアナログオーディオ信号ＯＬおよびＯＲは、スイッチ回路２６を通じ、また、抵抗２７Ｌおよび抵抗２７Ｒをそれぞれ通じて左チャンネルオーディオ信号出力端子２８Ｌおよび右チャンネルオーディオ信号出力端子２８Ｒのそれぞれに供給される。
【００４５】
次に、図１は、第１の実施の形態において、ヘッドフォン１００の接続プラグ１０１が、音楽プレーヤ３００のヘッドフォンジャック２８に差し込まれた状態において、音漏れがキャンセルされて軽減されることを説明するための等価的な接続回路図である。
【００４６】
この図１では、左チャンネルオーディオ信号が大振幅信号であり、かつ、右チャンネルは全くの無音であるとした場合であっても、左チャンネルオーディオ信号の右チャンネルへの音漏れがキャンセルされて軽減される様子を示すものである。なお、信号源２０Ｌは、音楽データデコード部２２からの左チャンネルのデジタルオーディオ信号ＤＬの信号源を示しており、また、信号源２０Ｒは、音楽データデコード部２２からの右チャンネルのデジタルオーディオ信号ＤＬの信号源を示している。
【００４７】
この第１の実施の形態の音楽プレーヤ３００における音漏れ消去信号加算部３０の詳細構成例は、この図１に示されている通りである。この第１の実施の形態における音漏れ消去信号加算部３０は、アナログ信号処理回路の構成である。
【００４８】
すなわち、この実施の形態における音漏れ消去信号加算部３０においては、Ｄ／Ａ変換器２３Ｌからの左チャンネルのアナログオーディオ信号が、左チャンネルアナログ出力用のアンプ３１Ｌを通じて加算部３２Ｌに供給されると共に、Ｄ／Ａ変換器２３Ｒからの右チャンネルのアナログオーディオ信号が、右チャンネルアナログ出力用のアンプ３１Ｒを通じて加算部３２Ｒに供給される。
【００４９】
そして、Ｄ／Ａ変換器２３Ｌからの左チャンネルのアナログオーディオ信号は、音漏れ消去信号生成用のアンプ３３Ｌを通じて加算部３２Ｒに供給されて、右チャンネルのアナログオーディオ信号に加算される。
【００５０】
また、Ｄ／Ａ変換器２３Ｒからの右チャンネルのアナログオーディオ信号は、音漏れ消去信号生成用のアンプ３３Ｒを通じて加算部３２Ｌに供給されて、左チャンネルのアナログオーディオ信号に加算される。
【００５１】
このとき、前述したように、右チャンネルへの左チャンネルオーディオ信号の音漏れ比率を１／ＭＬ、また、左チャンネルへの右チャンネルオーディオ信号の音漏れ比率を１／ＭＲとしたとき、アンプ３３Ｌの利得は、１／ＭＬ（ただしＭＬ＞１）とされ、また、アンプ３３Ｒの利得は、１／ＭＲ（ただしＭＲ＞１）とされる。
【００５２】
これにより、アンプ３３Ｌの出力信号ＣＬは、右チャンネルに漏れる左チャンネルのオーディオ信号の音漏れ消去信号となり、また、アンプ３３Ｒの出力信号ＣＲは、左チャンネルに漏れる右チャンネルのオーディオ信号の音漏れ消去信号となるようにされる。
【００５３】
なお、この例では、加算部３２Ｌおよび加算部３２Ｒの出力が利得１であるようにするために、アンプ３１Ｌの利得は、１−１／ＭＲとされ、アンプ３１Ｒの利得は、１−１／ＭＬとされる。
【００５４】
以上のようにして、音漏れ消去信号がそれぞれ加算された左チャンネルのオーディオ信号および右チャンネルのオーディオ信号は、加算部３２Ｌおよび加算部３２Ｒから、それぞれ抵抗２７Ｌおよび抵抗２７Ｒを通じて左チャンネルオーディオ信号出力端子２８Ｌおよび右チャンネルオーディオ信号出力端子２８Ｒに供給される。
【００５５】
以上のように構成された結果、この第１の実施の形態においては、次に説明するようにして、音漏れ消去信号ＣＬ，ＣＲにより、左右チャンネル間における音漏れ信号がキャンセルされて、音漏れが軽減される。
【００５６】
すなわち、図１においても、前述した図９の場合と同様に、左チャンネルオーディオ信号出力端子２８Ｌから出力された左チャンネルの大振幅オーディオ信号は、左チャンネル用ヘッドフォンユニット１０Ｌを通過した後、共通接地端子４Ｃに接続されている共通接続点１３Ｃに達し、共通接地端子２８Ｃに流れる。
【００５７】
そして、共通接続点１３Ｃは、右チャンネル用ヘッドフォンユニット１０Ｒにも接続されているので、共通線路抵抗１４などの存在も相俟って、左チャンネルの大振幅オーディオ信号は、右チャンネル用ヘッドフォンユニット１０Ｒにも漏れて供給されてしまう状態になる。
【００５８】
しかし、この第１の実施の形態では、図１に示されるように、アンプ３３Ｌを通じて左チャンネルオーディオ信号の右チャンネルへの漏れ分に相当する音漏れ消去信号ＣＬが加算部３２Ｒにおいて右チャンネルのオーディオ信号に加算されている。図１では、右チャンネルのオーディオ信号は存在しない（ゼロである）としているため、加算部３２Ｒからは、アンプ３３Ｌを通じて供給されてくる音漏れ消去信号ＣＬが出力され、この音漏れ消去信号ＣＬが右チャンネルオーディオ信号出力端子２８Ｒを通じて、右チャンネル用ヘッドフォンユニット１０Ｒに供給される。
【００５９】
この結果、右チャンネル用ヘッドフォンユニット１０Ｒでは、共通接続点１３Ｃを介して左チャンネル側から漏れてくる信号成分と、音漏れ消去信号ＣＬとが互いに相殺されてキャンセルされ、右チャンネル用ヘッドフォンユニット１０Ｒからは音漏れ信号による音波は発生しない、あるいは軽減される。
【００６０】
図１は、上述したように、左チャンネルオーディオ信号が右チャンネルに漏れる場合についての説明であるが、右チャンネルオーディオ信号が左チャンネルに漏れる場合には、加算部３２Ｌに加算された、アンプ３３Ｒからの音漏れ消去信号ＣＲにより、当該漏れ分が、左チャンネル用ヘッドフォンユニット１０Ｌにおいて相殺されてキャンセルされ、右チャンネル用ヘッドフォンユニット１０Ｒからは音漏れ信号による音波は発生しない、あるいは軽減されるものである。
【００６１】
この結果、ヘッドフォン使用者に対して、左右チャンネルオーディオ信号が本来持っている情報を、ユーザに対して、より正確に伝えることができるようになり、いわゆるチャンネル間のセパレーションが向上する。
【００６２】
また、上述の実施の形態では、音漏れ消去信号加算部３０を用いるか否かをユーザが選択することができるようにしたので、ヘッドフォンジャック２８にヘッドフォン１００の接続プラグ以外の接続プラグが接続されて、例えば、ヘッドジャック２８からのオーディオ信号出力を２個の外部スピーカで再生したり、ヘッドジャック２８からのオーディオ信号出力を他のオーディオ機器に送ったりする場合には、音漏れ消去信号が加算されていない元の左右チャンネルのオーディオ信号を出力することができる。
【００６３】
上述の実施の形態において、音漏れ比率１／ＭＬおよび１／ＭＲの値は、例えば音楽プレーヤ３００にヘッドフォン１００が付属されている場合のみを想定するときには、音楽プレーヤ３００の出力オーディオ信号をヘッドフォン１００で音楽聴取したときの音漏れ比率１／ＭＬおよび１／ＭＲを測定して、当該測定した音漏れ比率１／ＭＬおよび１／ＭＲを固定的に、アンプ３３Ｌ、３３Ｒ、３１Ｌおよび３１Ｒに、設定するようにすることができる。
【００６４】
しかし、音楽プレーヤ３００の特性やヘッドフォン１００の特性がすべて同一ではない場合があること、ユーザが音楽プレーヤ３００に付属のヘッドフォン１００のみを使用するとは限らないこと、などを考慮すると、音漏れ比率１／ＭＬおよび１／ＭＲの値を固定的に設定したときには、音漏れ消去の効果として所期のものが得られない恐れがある。そのことを考慮した場合には、アンプ３３Ｌ、３３Ｒを可変利得アンプの構成として、操作入力部３０２を通じたユーザの利得調整入力により、制御部３０１が、可変利得アンプ３３Ｌ、３３Ｒの利得を制御することができるように構成すると良い。
【００６５】
すなわち、その場合には、音楽プレーヤ３００に、音漏れ比率の設定モードを設けると共に、例えば、左チャンネルオーディオ信号が大振幅信号で、右チャンネルオーディオ信号がゼロの第１のテスト信号と、逆に、右チャンネルオーディオ信号が大振幅信号で、左チャンネルオーディオ信号がゼロの第２のテスト信号とを、それぞれ所定時間分ずつ出力するようにするテスト信号を、音楽プレーヤ３００に付属させておくとよい。
【００６６】
ユーザは、音漏れ比率の設定モードを選択し、上記の第１のテスト信号および第２のテスト信号を音楽プレーヤ３００で再生し、そのときに、使用しているヘッドフォンにおける音漏れを確認しながら、操作入力部３０２を用いて可変利得アンプ３３Ｌ、３３Ｒの利得を調整するようにする。これにより、可変利得アンプ３３Ｌ、３３Ｒの利得として、音漏れ比率に対応する適切な値を設定することができる。
【００６７】
なお、図１の実施の形態では、音漏れ消去信号を左右チャンネルのオーディオ信号に加算しても出力信号の利得が変化しないように、アンプ３１Ｌおよびアンプ３１Ｒの利得を調整するようにしたが、アナログオーディオ信号の場合であるので、あえてアンプ３１Ｌおよびアンプ３１Ｒの利得は調整せずに、これらのアンプ３１Ｌ，３１Ｒの利得を１で固定とするようにしても良い。
【００６８】
[第２の実施の形態]
第１の実施の形態は、アナログオーディオ信号の段階で音漏れ消去信号を、各チャンネルオーディオ信号に加算するようにした例である。しかし、アナログ素子・回路を用いる場合には、素子のばらつきにより特性が安定しない場合がある。また、アナログ素子を用いる場合には、その部品コスト、回路規模、電力消費の増大という問題がある。
【００６９】
第２の実施の形態では、この点にかんがみ、オーディオ信号がデジタル信号である段階で、デジタル処理により、音漏れ消去信号を各チャンネルのオーディオデータに加算するようにする。
【００７０】
図３は、第２の実施の形態の場合における音楽プレーヤ３００の構成例を示すブロック図で、図２に示した第１の実施の形態の場合における音楽プレーヤと同一構成部分については、同一符号を付してある。
【００７１】
この第２の実施の形態においては、図３に示すように、左右チャンネルの音漏れ対策処理をする場合と、音漏れ対策処理をしない場合とで切り替えられるスイッチ回路２９が、音楽データデコード部２２とＤ／Ａ変換器２３Ｌ，２３Ｒとの間に設けられる。
【００７２】
そして、この第２の実施の形態においては、ユーザが操作入力部３０２を通じて音漏れ対策処理をしないと選択操作入力したときには、制御部３０１は、切り替え制御信号ＳＷとして、スイッチ回路２９を図３の切り替え状態に切り替えるようにする制御信号を、スイッチ回路２９に供給する。
【００７３】
すると、このときには、音楽データデコード部２２からの左右２チャンネルのデジタルオーディオデータＤＬおよびＤＲが、スイッチ回路２９を通じて、それぞれＤ／Ａ変換器２３ＬおよびＤ／Ａ変換器２３Ｒに供給されて、アナログオーディオ信号に変換される。そして、Ｄ／Ａ変換器２３ＬおよびＤ／Ａ変換器２３Ｒからの左右２チャンネルのアナログオーディオ信号は、それぞれアナログアンプ２５Ｌおよびアナログアンプ２５Ｒを通じ、また、抵抗２７Ｌおよび抵抗２７Ｒをそれぞれ通じて左チャンネルオーディオ信号出力端子２８Ｌおよび右チャンネルオーディオ信号出力端子２８Ｒのそれぞれに供給される。
【００７４】
また、ユーザが操作入力部３０２を通じて音漏れ対策処理をすると選択操作入力したときには、制御部３０１は、切り替え制御信号ＳＷとして、スイッチ回路２８を、図３の切り替え状態とは逆の状態に切り替えるようにする制御信号を、スイッチ回路２８に供給する。
【００７５】
すると、このときには、音楽データデコード部２２からの左右２チャンネルのデジタルオーディオデータＤＬおよびＤＲは、デジタル信号処理の音漏れ消去信号加算部４０に供給される。この音漏れ消去信号加算部４０では、後述するようにして、デジタル信号の段階で、左右２チャンネル間における音漏れを消去する信号を、左チャネルオーディオ信号および右チャンネルオーディオ信号のそれぞれに加算する処理を行う。
【００７６】
この第２の実施の形態では、音漏れ消去信号加算部４０では、音漏れ比率１／ＭＬおよび１／ＭＲが、操作入力部３０２を通じたユーザ操作入力により調整可能とされており、このため、制御部３０１は、操作入力部３０２を通じたユーザ操作入力に応じた音漏れ比率１／ＭＬおよび１／ＭＲの調整制御信号ＣＴＬを生成し、生成した調整制御信号ＣＴＬを音漏れ消去信号加算部４０に供給するように構成されている。
【００７７】
そして、この音漏れ消去信号加算部４０からの、音漏れ消去信号が加算された左右２チャンネルのデジタルオーディオ信号ＤＯＬおよびＤＯＲは、それぞれＤ／Ａ変換器２３ＬおよびＤ／Ａ変換器２３Ｒに供給されて、アナログオーディオ信号に変換される。そして、Ｄ／Ａ変換器２３ＬおよびＤ／Ａ変換器２３Ｒからの左右２チャンネルのアナログオーディオ信号は、それぞれアナログアンプ２５Ｌおよびアナログアンプ２５Ｒを通じ、また、抵抗２７Ｌおよび抵抗２７Ｒをそれぞれ通じて左チャンネルオーディオ信号出力端子２８Ｌおよび右チャンネルオーディオ信号出力端子２８Ｒのそれぞれに供給される。
【００７８】
次に、図４は、第２の実施の形態において、ヘッドフォン１００の接続プラグ１０１が、音楽プレーヤ３００のヘッドフォンジャック２８に差し込まれた状態において、音漏れがキャンセルされて軽減されることを説明するための等価的な接続回路図である。
【００７９】
この図４では、図１の場合と同様にして、左チャンネルオーディオ信号が大振幅信号であり、かつ、右チャンネルは全くの無音であるとした場合であっても、左チャンネルオーディオ信号の右チャンネルへの音漏れがキャンセルされて軽減される様子を示すものである。
【００８０】
この第２の実施の形態の音楽プレーヤ３００における音漏れ消去信号加算部４０の詳細構成例は、この図４に示されている通りである。この第２の実施の形態における音漏れ消去信号加算部４０は、デジタル信号処理回路の構成である。
【００８１】
すなわち、この実施の形態における音漏れ消去信号加算部４０においては、音楽データデコード部２２からの左チャンネルのデジタルオーディオ信号ＤＬが、音漏れ比率分調整用の係数乗算部４１Ｌを通じて加算部４２Ｌに供給されると共に、音楽データデコード部２２からの右チャンネルのデジタルオーディオ信号ＤＲが、音漏れ比率分調整用の係数乗算部４１Ｒを通じて加算部４２Ｒに供給される。
【００８２】
そして、音楽データデコード部２２からの左チャンネルのデジタルオーディオ信号ＤＬは、音漏れ消去信号生成用の係数乗算部４３Ｌを通じて加算部４２Ｒに供給されて、右チャンネルのデジタルオーディオ信号に加算される。
【００８３】
また、音楽データデコード部２２からの右チャンネルのデジタルオーディオ信号ＤＲは、音漏れ消去信号生成用の係数乗算部４３Ｒを通じて加算部４２Ｌに供給されて、左チャンネルのデジタルオーディオ信号に加算される。
【００８４】
このとき、前述したように、右チャンネルへの左チャンネルオーディオ信号の音漏れ比率を１／ＭＬ、また、左チャンネルへの右チャンネルオーディオ信号の音漏れ比率を１／ＭＲとしたとき、係数乗算部４３Ｌで乗算される係数は、１／ＭＬ（ただしＭＬ＞１）とされ、また、係数乗算部４３Ｒで乗算される係数は、１／ＭＲ（ただしＭＲ＞１）とされる。前述したように、係数１／ＭＬおよび１／ＭＲは、制御部３０１からの調整制御信号ＣＴＬにより、可変とされる。
【００８５】
これにより、係数乗算部４３Ｌの出力信号ＤＣＬは、右チャンネルに漏れる左チャンネルのオーディオ信号の音漏れ消去信号となり、また、係数乗算部４３Ｒの出力信号ＤＣＲは、左チャンネルに漏れる右チャンネルのオーディオ信号の音漏れ消去信号となるようにされる。
【００８６】
そして、この第２の実施の形態では、加算部４２Ｌおよび加算部４２Ｒにおける加算によって、デジタル領域におけるオーバーフローを防止するため、係数乗算部４１Ｌで乗算される係数は、１−１／ＭＲとされ、係数乗算部４１Ｒで乗算される係数は、１−１／ＭＬとされる。
【００８７】
ここで、前述したように、係数１／ＭＬおよび１／ＭＲは、制御部３０１からの調整制御信号ＣＴＬにより可変とされるものである。
【００８８】
以上のようにして、音漏れ消去信号がそれぞれ加算された左チャンネルのデジタルオーディオ信号ＤＯＬおよび右チャンネルのデジタルオーディオ信号ＤＯＲは、加算部４２Ｌおよび加算部４２Ｒから、それぞれＤ／Ａ変換器２３Ｌおよび２３Ｒに供給されて、アナログオーディオ信号に変換される。そして、変換後の左チャンネルおよび右チャンネルのアナログオーディオ信号が、それぞれ抵抗２７Ｌおよび抵抗２７Ｒを通じて左チャンネルオーディオ信号出力端子２８Ｌおよび右チャンネルオーディオ信号出力端子２８Ｒに供給される。
【００８９】
この結果、第１の実施の形態の場合と同様にして、右チャンネル用ヘッドフォンユニット１０Ｒでは、共通接続点１３Ｃを介して左チャンネル側から漏れてくる信号成分と、音漏れ消去信号ＣＬとが互いに相殺されてキャンセルされ、右チャンネル用ヘッドフォンユニット１０Ｒからは音漏れ信号による音波は発生しない、あるいは軽減される。
【００９０】
図４は、左チャンネルオーディオ信号が右チャンネルに漏れる場合についての説明であるが、右チャンネルオーディオ信号が左チャンネルに漏れる場合には、加算部４２Ｌに加算された、係数乗算部４３Ｒからの音漏れ消去信号ＤＣＲにより、当該漏れ分が、左チャンネル用ヘッドフォンユニット１０Ｌにおいて相殺されてキャンセルされ、右チャンネル用ヘッドフォンユニット１０Ｒからは音漏れ信号による音波は発生しない、あるいは軽減されるものである。
【００９１】
図５は、図４の音漏れ消去信号加算部４０のより詳細な構成例を示すものである。この図５に示すように、音漏れ消去信号加算部４０は、デジタル積和演算部の構成である。
【００９２】
図５に示すように、この例の音漏れ消去信号加算部４０では、音楽データデコード部２２からの左チャンネルのデジタルオーディオ信号ＤＬおよび右チャンネルのデジタルオーディオ信号ＤＲは、入力バッファレジスタ４４Ｌおよび４４Ｒに１サンプルずつ取り込まれる。そして、新たにデジタルオーディオサンプルデータが、入力バッファレジスタ４４Ｌおよび４４Ｒに取り込まれるごとに、前のデータは、この入力バッファレジスタ４４Ｌおよび４４Ｒから廃棄される。
【００９３】
そして、入力バッファレジスタ４４Ｌに取り込まれた左チャンネルのサンプルデータは、それぞれ乗算部４５Ｌおよび４７Ｌに供給され、それぞれ係数レジスタ４６Ｌおよび係数レジスタ４８Ｌに格納されている係数値が、それぞれのサンプルデータに乗算される。
【００９４】
ここで、乗算部４５Ｌと係数レジスタ４６Ｌとにより、図４の係数乗算部４１Ｌが構成され、乗算部４７Ｌと係数レジスタ４８Ｌとにより、図４の係数乗算部４３Ｌが構成されるもので、係数レジスタ４６Ｌには、１−１／ＭＬが係数値として格納され、また、係数レジスタ４８Ｌには、音漏れ比率１／ＭＬが係数値として格納される。
【００９５】
この例では、係数レジスタ４６Ｌおよび４８Ｌの係数値が、制御部３０１からの調整制御信号ＣＴＬにより可変される。あるいは、制御部３０１は、ユーザの音漏れ比率の調整操作入力に応じた係数値を生成し、生成した値を、係数レジスタ４６Ｌおよび４８Ｌにその係数値として供給する。
【００９６】
そして、乗算部４５Ｌからの乗算出力は、左チャンネルの加算部４２Ｌに供給される。また、乗算部４７Ｌからの乗算出力は、右チャンネルの加算部４２Ｒに供給される。
【００９７】
同様にして、入力バッファレジスタ４４Ｒに取り込まれた右チャンネルのサンプルデータは、それぞれ乗算部４５Ｒおよび４７Ｒに供給され、それぞれ係数レジスタ４６Ｒおよび係数レジスタ４８Ｒに格納されている係数値が、それぞれのサンプルデータに乗算される。
【００９８】
ここで、乗算部４５Ｒと係数レジスタ４６Ｒとにより、図４の係数乗算部４１Ｒが構成され、乗算部４７Ｒと係数レジスタ４８Ｒとにより、図４の係数乗算部４３Ｒが構成されるもので、係数レジスタ４６Ｒには、１−１／ＭＲが係数値として格納され、また、係数レジスタ４８Ｒには、音漏れ比率１／ＭＲが係数値として格納される。
【００９９】
この例では、係数レジスタ４６Ｒおよび４８Ｒの係数値が、制御部３０１からの調整制御信号ＣＴＬにより可変される。あるいは、制御部３０１は、ユーザの音漏れ比率の調整操作入力に応じた係数値を生成し、生成した値を、係数レジスタ４６Ｒおよび４８Ｒにその係数値として供給する。
【０１００】
そして、乗算部４５Ｒからの乗算出力は、右チャンネルの加算部４２Ｒに供給される。また、乗算部４７Ｒからの乗算出力は、左チャンネルの加算部４２Ｌに供給される。
【０１０１】
以上のことから、加算部４２Ｌおよび４２Ｒからは、音漏れ消去信号が加算された左右２チャンネルのデジタルオーディオ信号ＤＯＬおよびＤＯＲが得られ、図３に示したように、それぞれＤ／Ａ変換器２３ＬおよびＤ／Ａ変換器２３Ｒに供給されて、アナログオーディオ信号に変換される。
【０１０２】
なお、係数レジスタ４６Ｌ、４６Ｒ、４８Ｌ、４８Ｒに設定する係数を決める方法は、前述の第１の実施の形態において説明した方法と同様にして、係数の設定モードを設けると共に、第１および第２のテスト信号を用いて、音漏れが最小になるように、係数を最適な値に調整設定することにより行うことができるものである。
【０１０３】
図５の例は、デジタル信号処理部である音漏れ消去信号加算部４０を、積和演算部からなるハードウエア構成とした場合であるが、この音漏れ消去信号加算部４０は、音楽データデコード部２２からのデジタルオーディオデータＤＬおよびＤＲを１サンプルずつ取り込みながらソフトウエア処理として実行することもできる。
【０１０４】
図６は、そのようなソフトウエア処理とする場合の、処理手順を示すフローチャートである。この場合、この図６における各ステップの処理は、図３の制御部３０１のマイクロコンピュータが実行するものとなる。
【０１０５】
すなわち、制御部３０１は、まず、音声データデコード部２２からの左右チャンネルのデジタルオーディオ信号ＤＬ，ＤＲを入力サンプルデータとして取り込む（ステップＳ１０１）。次に、制御部３０１は、図示を省略する係数レジスタに格納している係数１／ＭＬ、１／ＭＲ、１−１／ＭＬ、１−１／ＭＲを読み出す（ステップＳ１０２）。
【０１０６】
そして、次に、制御部３０１は、
ＤＯＬ＝ＤＬ×（１−１／ＭＲ）＋ＤＲ×１／ＭＲ
ＤＯＲ＝ＤＲ×（１−１／ＭＬ）＋ＤＬ×１／ＭＬ
・・・（式Ａ）
で表される積和演算処理を実行する（ステップＳ１０３）。
【０１０７】
次に、制御部３０１は、ステップＳ１０３で求めたデジタル信号ＤＯＬおよびＤＯＲを、Ｄ／Ａ変換器２３ＬおよびＤ／Ａ変換器２３Ｒに供給して、アナログオーディオ信号に変換して出力するようにする（ステップＳ１０４）。
【０１０８】
そして、制御部３０１は、音楽コンテンツ格納部２１からの音楽コンテンツの音楽データが終了したか否か、および、ユーザにより再生停止指示があったか否かにより、オーディオ出力を終了するか否かを判別し（ステップＳ１０５）、未だオーディオ出力を終了しないと判別したときには、ステップＳ１０１に戻って、このステップＳ１０１以降の処理を繰り返す。また、ステップＳ１０４で、オーディオ出力を終了すると判別したときには、この図６の処理ルーチンを終了する。
【０１０９】
なお、係数レジスタに設定する係数１／ＭＬ、１／ＭＲ、１−１／ＭＬ、１−１／ＭＲは、前述の第１の実施の形態において説明した第１および第２のテスト信号が用いられて、予めユーザにより設定されるものである。
【０１１０】
以上のようなソフトウエア処理を行う場合には、上述の（式Ａ）の積和演算を行うためのハードウエアが不要になるというメリットがある。
【０１１１】
［第３の実施の形態］
上述した第２の実施の形態においては、音漏れ量を、音楽プレーヤ３００において、装着されるヘッドフォンに応じてユーザが調整、設定することができるようにして、音漏れ消去信号の大きさを最適に設定することができるようにした。しかし、上記の実施の形態では、音漏れ消去信号の位相については、考慮していない。すなわち、ヘッドフォンユニット１０Ｌおよび１０Ｒのそれぞれにおいて、音漏れ消去信号と、消去される対象となるチャンネルのオーディオ信号との位相が一致していないときには、良好なキャンセル効果が得られない場合がある。
【０１１２】
この第３の実施の形態は、この音漏れ消去信号の位相をユーザにより調整することができるようにした場合である。
【０１１３】
音漏れ消去信号の位相を調整する方法は、第１の実施の形態で説明した、アナログオーディオ信号の段階において、音漏れ消去信号加算部３０を設ける場合にも適用することが可能である。すなわち、図１の音漏れ消去信号加算部３０において、アンプ３３Ｌの入力側あるいは出力側およびアンプ３３Ｒの入力側および出力側に、アナログ回路の可変遅延手段、例えば移相回路を設けるようにすれば良い。
【０１１４】
しかしながら、アナログ回路において正確な位相調整をすることはなかなか困難である。そこで、この第３の実施の形態では、第２の実施の形態のデジタルオーディオ信号の段階における、音漏れ消去信号加算部４０において、位相調整手段を設けるようにする。この場合、位相調整は、デジタルオーディオデータのサンプル単位で行うようにする。
【０１１５】
図７は、この第３の実施の形態の場合における音漏れ消去信号加算部４０の構成例を示すブロック図である。この図７の例においては、図５の例の入力バッファレジスタ４４Ｌおよび４４Ｒの代わりに、ｎ段（ｎは２以上の整数）のシフトレジスタ４４０Ｌおよび４４０Ｒが設けられる。このｎ段のシフトレジスタ４４０Ｌおよび４４０Ｒは、その各段の出力として、入力デジタルデータに対して、それぞれ０，１，２，・・・，ｎ−１サンプル分遅延したデジタルデータを出力する。
【０１１６】
図７の例では、シフトレジスタ４４０Ｌおよび４４０Ｒの初段出力Ｌ［ｎ−１］、Ｒ［ｎ−１］が入力デジタルデータそのものであり、第ｉ段目の出力Ｌ［ｉ］、Ｒ［ｉ］のｉの値が小さくなるほど、遅延量が大きくなり、出力Ｌ［０］、Ｒ［０］は、入力デジタルデータよりもｎ−１サンプル分遅延されたデータサンプルである。
【０１１７】
シフトレジスタ４４０Ｌおよび４４０Ｒの初段出力Ｌ［ｎ−１］、Ｒ［ｎ−１］は、それぞれ乗算部４５Ｌおよび４５Ｒにそれぞれ供給されて、係数レジスタ４６Ｌおよび４６Ｒに格納されている係数１−１／ＭＬおよび１−１／ＭＲと乗算される。そして乗算部４５Ｌおよび４５Ｒの乗算結果は、加算部４２Ｌおよび４２Ｒにそれぞれ供給される。
【０１１８】
一方、シフトレジスタ４４０Ｌおよび４４０Ｒの各段のレジスタ出力に対して、乗算部４７Ｌ［０］、４７Ｌ［１］、４７Ｌ［２］、・・・、４７Ｌ［Ｎ−１］および乗算部４７Ｒ［０］、４７Ｒ［１］、４７Ｒ［２］、・・・、４７Ｒ［Ｎ−１］がそれぞれ設けられる。
【０１１９】
そして、左チャンネル用の乗算部４７Ｌ［０］、４７Ｌ［１］、４７Ｌ［２］、・・・、４７Ｌ［Ｎ−１］のそれぞれにおいては、係数レジスタ４８Ｌに格納されている係数１／ＭＬと各段のレジスタ出力とが乗算され、その乗算結果が、セレクタ４９Ｌに供給される。セレクタ４９Ｌには、制御部３０１から、ユーザの操作入力部３０２を通じた操作入力に応じた選択制御信号ＳＥＬＬが供給される。セレクタ４９Ｌからは、乗算部４７Ｌ［０］、４７Ｌ［１］、４７Ｌ［２］、・・・、４７Ｌ［Ｎ−１］の乗算結果のうち、選択制御信号ＳＥＬＬにより選択された一つの乗算結果が得られ、その選択された一つの乗算結果が、右チャンネルの信号との加算部４２Ｒに供給される。
【０１２０】
また、右チャンネル用の乗算部４７Ｒ［０］、４７Ｒ［１］、４７Ｒ［２］、・・・、４７Ｒ［Ｎ−１］のそれぞれにおいては、係数レジスタ４８Ｒに格納されている係数１／ＭＲと各段のレジスタ出力とが乗算され、その乗算結果が、セレクタ４９Ｒに供給される。セレクタ４９Ｒには、制御部３０１から、ユーザの操作入力部３０２を通じた操作入力に応じた選択制御信号ＳＥＬＲが供給される。セレクタ４９Ｒからは、乗算部４７Ｒ［０］、４７Ｒ［１］、４７Ｒ［２］、・・・、４７Ｒ［Ｎ−１］の乗算結果のうち、選択制御信号ＳＥＬＲにより選択された一つの乗算結果が得られ、その選択された一つの乗算結果が、左チャンネルの信号との加算部４２Ｌに供給される。
【０１２１】
音漏れ消去信号加算部４０が以上のように構成される第３の実施形態の音楽プレーヤ３００においては、係数および位相の設定モードを設けると共に、前述したような第１のテスト信号および第２のテスト信号を用いて、係数１／ＭＬ、１／ＭＲ、１−１／ＭＬ、１−１／ＭＲ設定ならびに位相調整を行うようにする。
【０１２２】
すなわち、ユーザは、音楽プレーヤ３００を係数および位相の設定モードにし、例えば最初は第１のテスト信号を再生する。そして、この第１のテスト信号が再生されている状態において、右チャンネルへの左チャンネルの信号の音漏れ量が最小となるように、係数１／ＭＬを設定する。このとき、乗算部４５Ｌに供給する係数は、乗算結果がオーバーフローしないような値とされる。
【０１２３】
そして、以上のようにして設定された係数１／ＭＬを係数レジスタ４８Ｌに格納する。また、係数１−１／ＭＬを計算して、その計算結果を係数レジスタ４６Ｒに格納する。
【０１２４】
次に、第１のテスト信号を引き続き再生し、右チャンネルへの左チャンネルの信号の音漏れ量が最小となるように、セレクタ４９Ｌへの選択制御信号ＳＥＬＬを調整する。そして、その調整結果の選択制御信号ＳＥＬＬを、セレクタ４９Ｌの選択制御信号ＳＥＬＬとして保持する。
【０１２５】
次に、再生するテスト信号を第２のテスト信号に変更して、以上と同様のことを右チャネルについて行う。すなわち、第２のテスト信号が再生されている状態において、左チャンネルへの右チャンネルの信号の音漏れ量が最小となるように、係数１／ＭＲを設定する。このとき、乗算部４５Ｒに供給する係数は、乗算結果がオーバーフローしないような値とされる。
【０１２６】
そして、以上のようにして設定された係数１／ＭＲを係数レジスタ４８Ｒに格納する。また、係数１−１／ＭＲを計算して、その計算結果を係数レジスタ４６Ｌに格納する。
【０１２７】
次に、第２のテスト信号を引き続き再生し、左チャンネルへの右チャンネルの信号の音漏れ量が最小となるように、セレクタ４９Ｒへの選択制御信号ＳＥＬＲを調整する。そして、その調整結果の選択制御信号ＳＥＬＲを、セレクタ４９Ｒの選択制御信号ＳＥＬＲとして保持する。
【０１２８】
この第３の実施の形態においては、音漏れ消去信号の位相が調整可能であるので、音漏れ消去効果の更なる向上が期待できる。
【０１２９】
［他の実施の形態または変形例］
上述の実施の形態は、左右２チャンネルのステレオオーディオ信号の場合を例に、音漏れ低減方法について説明したが、第１チャンネルオーディオ信号および第２チャンネルオーディオ信号は、ステレオオーディオ信号の左チャンネル信号と右チャンネル信号とに限られるものではないことは言うまでもない。
【０１３０】
また、オーディオ信号出力装置は、音楽プレーヤの場合としたが、音楽プレーヤに限らず、オーディオ信号出力端子が３極端子の構成を備えるものであれば、すべて、この発明が適用可能であることは言うまでもない。
【図面の簡単な説明】
【０１３１】
【図１】この発明による音漏れ低減方法の第１の実施の形態を説明するための回路図である。
【図２】この発明による音漏れ低減方法の第１の実施の形態が適用された装置の例の音楽プレーヤの構成例を示すブロック図である。
【図３】この発明による音漏れ低減方法の第２の実施の形態が適用された装置の例の音楽プレーヤの構成例を示すブロック図である。
【図４】この発明による音漏れ低減方法の第２の実施の形態を説明するための回路図である。
【図５】この発明による音漏れ低減方法の第２の実施の形態を実現するための構成例を示すブロック図である。
【図６】この発明による音漏れ低減方法の第２の実施の形態を実現するための構成例を示すフローチャートである。
【図７】この発明による音漏れ低減方法の第３の実施の形態を実現するための構成例を示すブロック図である。
【図８】３極端子を備える装置を説明するための図である。
【図９】３極端子を用いる場合におけるチャンネル間の音漏れを説明するための図である。
【図１０】音漏れを低減するために４極端子を用いる装置を説明するための図である。
【図１１】４極端子を用いる場合におけるチャンネル間の音漏れ低減を説明するための図である。
【符号の説明】
【０１３２】
２８…ヘッドフォンジャック、２８Ｌ…左チャンネルオーディオ信号出力端子、２８Ｒ…右チャンネルオーディオ信号出力端子、２８Ｃ…共通接地端子、３０…音漏れ消去信号加算部（アナログ処理の場合）、４０…音漏れ消去信号加算部（デジタル処理の場合）
【図１】
0004835185.tif 000002
【図２】
0004835185.tif 000003
【図３】
0004835185.tif 000004
【図４】
0004835185.tif 000005
【図５】
0004835185.tif 000006
【図６】
0004835185.tif 000007
【図７】
0004835185.tif 000008
【図８】
0004835185.tif 000009
【図９】
0004835185.tif 000010
【図１０】
0004835185.tif 000011
【図１１】
0004835185.tif 000012